(57)【要約】【課題】パレットとスリーブとを固定するため固定具が取り替え容易な組み立て式コンテナを提供することを目的とする。【解決手段】スリーブ２とパレット１とを固定するための固定具４が、スリーブに形成される貫通孔Ｈに嵌挿される雌部材４１と、雌部材に回転自在に嵌め込まれる雄部材４２とからなり、雌部材が円筒形の雌円筒部４１１と、雌円筒部に形成されるスリット溝４１３と、雌円筒部の底面に接合される雌円盤部４１２とを備え、前記雄部材が円筒形の雄円筒部と、雄円筒部に形成され、雄部材が雌部材４１に嵌め込まれた際に、スリット溝に掛止される爪部４２３と、雄円筒部の底面に接合される雄円盤部４２２と、雄円盤部に該雄円盤部の内部に出入自在に形成される弾発突起４２４とを備え、該弾発突起が嵌まり込むための受け口部１３がパレット１の側壁１４に形成されている組み立て式コンテナ。【選択図】  図１
2008174258.tif 000002
【特許請求の範囲】
【請求項１】
パレットと、該パレットの周縁に設けられた溝に嵌合し側壁を形成するスリーブと、からなる組み立て式コンテナにおいて、
スリーブとパレットとを固定するための固定具が、
スリーブに形成された貫通孔の一方側から嵌挿される雌部材と、
貫通孔の反対側から雌部材に回転可能に取り付けられた雄部材とからなり、
雄部材に形成された弾発突起がパレットの側壁に形成された受け口部に掛止されることを特徴とする組み立て式コンテナ。
【請求項２】
雌部材が板状の雌円盤部と筒状の雌円筒部とよりなり、該雌円筒部にスリット溝が形成され、雄部材が板状の雄円盤部と筒状の雄円筒部よりなり、雄円筒部には爪部が形成され、該爪部がスリット溝に掛止されて雄部材が雌部材に対して回動可能となっていることを特徴とする請求項１に記載の組み立て式コンテナ。
【請求項３】
雌部材に形成された供回り防止片がスリーブに形成された切り込みに差し込まれることにより雌部材がスリーブに対して回動不能に固定されるものであることを特徴とする請求項１に記載の組み立て式コンテナ。
【請求項４】
雄部材の弾発突起は雄円盤部を切り欠くことにより形成されるものであることを特徴とする請求項１に記載の組み立て式コンテナ。
【請求項５】
雄部材の爪部は雄円筒部を切り欠くことにより形成されることを特徴とする請求項１に記載の組み立て式コンテナ。
【請求項６】
雄部材の弾発突起は回動方向に直角な方向に第１テ−パ面を有し、回動方向に第２テ−パ面を有することを特徴とする請求項１に記載の組み立て式コンテナ。
【請求項７】
雄部材の爪部が雌部材のスリット溝に掛止されて回転する範囲は、雄部材に形成された弾発突起がスリーブに形成された受け口部に掛止又は解除が可能な範囲となっていることを特徴とする請求項２に記載の組み立て式コンテナ。
【発明の詳細な説明】
【技術分野】
【０００１】
本発明は組み立て式コンテナに関し、更に詳しくは、スリーブ表面にパレットとスリーブとを固定するための固定具が取り付けられた組み立て式コンテナに関する。
【背景技術】
【０００２】
従来、貨物の輸送に際して底を形成するパレットと、該パレットの周縁部に形成された溝に載置されて側壁をなすスリーブと、該スリーブの上に載置される蓋部とからなる組み立て式コンテナが用いられている。
【０００３】
このような従来の組み立て式コンテナには、輸送中に組み立て式コンテナに加わった衝撃等によってパレットとスリーブとが外れないよう固定するために、両者間に固定機構が備えられている。
【０００４】
例えば、特許文献１に記載されているように、パレット３００に形成された溝の側壁から水平方向に棒爪１００を突出させ、該棒爪１００がスリーブ２００に形成された受け口２０１に差し込まれることで、スリーブ２００とパレット３００とが固定される機構がある（図６参照）。
【０００５】
このスリーブ２００の固定機構では、一旦突出させた棒爪１００が安易に受け口２０１から抜脱しないように、棒爪１００の基部につまみ部１０１が突出形成されている。
すなわち、このつまみ部１０１が摺動する移動路３０１には一部が狭められた狭壁部が形成されており、そのため、つまみ部１０１を強く移動させて棒爪１００が受け口２０１に一旦差し込まれた後は、棒爪１００に一定以上の力が加わらない限り受け口２０１から容易に離脱するようなことがない。
【特許文献１】特表平０６−５０４７４９号公報
【発明の開示】
【発明が解決しようとする課題】
【０００６】
しかし、上記固定機構で固定する組み立て式コンテナを長期間に渡って繰り返し使用すると、移動路３０１の狭壁部は磨耗して徐々にその幅が拡大する。
その結果、僅かな衝撃により棒爪１００が移動して（すなわちパレット内に収納される方向に移動して）受け口２０１から抜脱し、不用意にもパレットとスリーブとの固定が外れることがある。
【０００７】
通常、移動路３０１はパレットと一体成形されているため、狭壁部は磨耗した場合移動路３０１のみの取替えは不可能であり、新しいパレットと交換しなければならず不経済である。
【０００８】
また、上記棒爪１００はパレット３００の移動路３０１に沿って摺動自在な状態で内部に配設される構造であるためパレット自体のこの部分の構造が複雑となる。
【０００９】
特にパレットを、金型を用いて成形しようとした場合は、アンダーカット等により金型形状が複雑となるため製造コスト的な負担も大きい。
更には、このような棒爪１００は水平方向に直線移動してスリーブ２００の受け口２０１に入るような構造であるために、パレット３００とスリーブ２００とが固定された状態では棒爪１００は常に曲げ力を受けていることとなる。
そのため、コンテナに衝撃等が加わってパレット３００とスリーブ２００とが離間する方向に力が加わると棒爪１００が曲がることがある。
【００１０】
このようになると棒爪１００と受け口２０１との位置決めが難しくなり、以後、受け口２０１への差し込みに支障が生じて、固定操作が困難となる。
また棒爪１００と受け口２０１との挿脱を繰り返しているうちに、受け口２０１が磨耗等により大きくなりパレット３００とスリーブ２００の間にガタが生じることがある。
一旦ガタが生じると、以後、固定力を増す修正ができなくなる。
以上のように、棒爪１００の爪部材を使った固定構造では、磨耗等が生じ易くパレット３００とスリーブ２００との間にガタが生じたり、爪部材が抜脱したりする欠点があり、また一旦このような欠点が生じると修正ができない。
【００１１】
本発明は以上の課題を解決すべく開発されたものである。
すなわち、パレットとスリーブとを固定するため固定具が取り替え容易な組み立て式コンテナを提供することを目的とする。
【課題を解決するための手段】
【００１２】
本発明者は、以上のような課題背景をもとに鋭意研究を重ねた結果、スリーブに形成された貫通孔に、雌部材を嵌挿固定し、その雌部材に弾発突起を備えた雄部材を回転自在に嵌め込むことで上記の課題を解決できることを見出し、その知見に基づいて本発明を完成させたものである。
【００１３】
すなわち本発明は、（１）、パレットと、該パレットの周縁に設けられた溝に嵌合し側壁を形成するスリーブと、からなる組み立て式コンテナにおいて、スリーブとパレットとを固定するための固定具が、スリーブに形成された貫通孔の一方側から嵌挿される雌部材と、貫通孔の反対側から雌部材に回転可能に取り付けられた雄部材とからなり、雄部材に形成された弾発突起がパレットの側壁に形成された受け口部に掛止される組み立て式コンテナに存する。
【００１４】
また本発明は、（２）、雌部材が板状の雌円盤部と筒状の雌円筒部とよりなり、該雌円筒部にスリット溝が形成され、雄部材が板状の雄円盤部と筒状の雄円筒部よりなり、雄円筒部には爪部が形成され、該爪部がスリット溝に掛止されて雌部材に対して雄部材が回動可能となっている上記（１）に記載の組み立て式コンテナに存する。
【００１５】
また本発明は、（３）、雌部材に形成された供回り防止片がスリーブに形成された切り込みに差し込まれることにより雌部材がスリーブに対して回動不能に固定されるものである上記（１）に記載の組み立て式コンテナに存する。
【００１６】
また本発明は、（４）、雄部材の弾発突起は雄円盤部を切り欠くことにより形成されるものである上記（１）に記載の組み立て式コンテナに存する。
【００１７】
また本発明は、（５）、雄部材の爪部は雄円筒部を切り欠くことにより形成される上記（１）に記載の組み立て式コンテナに存する。
【００１８】
また本発明は、（６）、雄部材の弾発突起は回動方向に直角な方向に第１テ−パ面を有し、回動方向に第２テ−パ面を有する上記（１）に記載の組み立て式コンテナ
【００１９】
また本発明は、（７）、雄部材の爪部が雌部材のスリット溝に掛止されて回転する範囲は、雄部材に形成された弾発突起がスリーブに形成された受け口部に掛止又は解除が可能な範囲となっている上記（２）に記載の組み立て式コンテナに存する。
【００２０】
なお、本発明の目的に添ったものであれば上記（１）から（７）を適宜組み合わせた構成も採用可能である。
【発明の効果】
【００２１】
本発明の組み立て式コンテナに用いられるスリーブには、雌部材と雄部材とからなる固定具が、掛合により取り付けられているので、万が一固定具が破損した際には、その固定具の取り替えが可能である。  
そのため、固定具の交換を行うことで、長期間使用することができるようになり、従来のコンテナに比べて、耐久性が増す。
【００２２】
雌円筒部にスリット溝が、また雄円筒部には爪部が形成され、該爪部がスリット溝に掛止され雄部材が雌部材に対して回動可能となっているので、単に雄部材を回動させるだけで、パレットにスリーブを固定又は固定を解除することができる。
【００２３】
雌部材に形成された供回り防止片がスリーブに形成された切り込みに差し込まれることにより雌部材がスリーブに対して回動不能に固定されるので、固定操作が単純で簡単である。
【００２４】
雄部材の弾発突起は雄円盤部を切り欠くことにより形成されるものであり、また雄部材の爪部は雄円筒部を切り欠くことにより形成されるので簡単な構造で弾発突起や爪部に弾圧力が付与できる、
【００２５】
弾発突起は回動方向に直角な方向に第１テ−パ面を有し、回動方向に第２テ−パ面を有するので、雄部材を回動させた際、弾発突起の受け口部に対する係止又は係止解除がスムースに行われる。
【発明を実施するための最良の形態】
【００２６】
〔第一の実施形態〕
以下、図面を用いて本発明の好適な一実施形態について説明する。
【００２７】
図１は本実施形態に係る組み立て式コンテナを概略的に示す正面図である。
図１に示すように、本実施形態に係る組み立て式コンテナＡは、組み立て式コンテナＡの底となるパレット１と、該パレット１の周縁に設けられた図示しない溝に載置され、上記組み立て式コンテナＡの側壁を形成するスリーブ２と、該スリーブ２に載置されて、組み立て式コンテナＡの蓋を形成する蓋部３とよりなる。
そして、パレット１とスリーブ２とを固定するための固定具４がスリーブ２に取り付けられている。
【００２８】
パレット１は、パレット１の底面を地面から所定の高さまで持ち上げる脚部１１を有しており、パレット１の底面と地面との間には空間Ｓが形成される。
組み立て式コンテナＡは、この空間Ｓに挿入されたフォークリフトによって、運搬される。
【００２９】
スリーブ２は、パレット１の周縁に形成されている溝に直立した状態で嵌合載置され、内部に貨物を収納する空間を形成する。
そのため、組み立て式コンテナＡの容量の調節は、スリーブ２の高さを調節することにより行われる。
【００３０】
なお、組み立て式コンテナＡ自体の重量を軽くするために、スリーブ２の材質としてダンボール紙や合成木材、プラスチック材等が用いられる。
ただし、ダンボール紙のスリーブの場合、折り畳み自在であるため保管に便利である。
【００３１】
蓋部３にはパレット１と同様に周縁に溝が形成されており、該溝にスリーブ２が嵌合することで、スリーブ２の上に安定して載置される。
【００３２】
スリーブ２はスリーブ２に取り付けられる固定具４によってパレット１に固定される。
そのため、運搬中に組み立て式コンテナＡに対して衝撃が加わっても、パレット１からスリーブ２が外れることがない。
【００３３】
後述するように、固定具４は雌部材４１と雄部材４２とからなり、雌部材４１はスリーブ２に形成される貫通孔Ｈに一方側から、すなわち組み立て式コンテナＡの内側から貫通孔Ｈに嵌挿される。
雄部材４２は貫通孔Ｈの反対側から、すなわち組み立て式コンテナＡの外側から雌部材４１に回転自在に嵌め込まれる。
【００３４】
雄部材４２には内方へ（貫通孔側へ）弾圧移動可能な弾発突起が形成されており、この弾発突起がパレット１に形成されている受け口部１３に嵌合することによりスリーブ２はパレット１に固定される。
【００３５】
図２は固定具を構成する雌部材及び雄部材を示す斜視図であり、（ａ）は雌部材を示し、（ｂ）は雄部材を示す。
図３は、雄部材の変形例を示す斜視図である。
図２（ａ）に示すように、雌部材４１は平板状の円盤部４１２と、該円盤部４１２に垂直に形成される円筒形の円筒部４１１とを備える。
この円盤部４１２の大きさは上述したスリーブに形成された貫通孔Ｈの大きさより大きい。
【００３６】
さらに、雌円筒部４１１には、円盤部４１２との境目に、後述する雄部材４２の爪部４２３が掛止されるスリット溝４１３が、雌円筒部４１１の周方向に沿って三本、等間隔に形成されている。
このとき、３つの爪部４２３が雌部材４１の各スリット溝４１３に掛止されて回転する範囲は、雄部材４２に形成された弾発突起４２４がスリーブに形成された受け口部１３に係止（図５（ａ）参照）又は解除（図５（ｄ）参照）が可能な範囲となっている。
【００３７】
雌円筒部４１１には、その外方に突設された平板状の部材である供回り防止片４１４が形成されている。  
供回り防止片４１４は雌円筒部４１１が貫通孔Ｈに嵌挿されたときに、スリーブに形成された図示しない切り込みに垂直に差し込まれる。
【００３８】
供回り防止片４１４が形成されることにより、差し込みだけの単純な操作だけで雌部材自体の回転が抑止され、雌部材４１に掛合した雄部材４２が回転した際に、雌部材４１が供回りすることが防止される。
なお、供回り防止片４１４同士を連結する連結部４１５は、供回り防止片４１４を補強するためのものである。
【００３９】
図２（ｂ）に示すように、雄部材４２は平板状の雄円盤部４２２と、該雄円盤部４２２から垂直に形成される円筒形の雄円筒部４２１とを備え、雄円盤部４２２の大きさは上述した貫通孔Ｈよりも大きい。
【００４０】
雄円筒部４２１には、爪部４２３が前述したスリット溝４１３に対応するように等間隔に三個形成されている。
この爪部４２３は切り欠きＫを形成することにより弾圧的に起伏運動を行うことができる。
爪部４２３は雌部材４１のスリット溝４１３に掛止される。
これにより、雌部材４１と雄部材４２とは、雄部材４２の回動を許す状態で掛合して一体化される。
【００４１】
爪部４２３は、起伏運動が可能であるため雄部材４２を雌部材４１に押し入れる際、内方に一時的に入り込み、スリット溝４１３のところで外方に戻って掛合する。
この掛合は、工具等を使って強引に外さなければ解除できない。
【００４２】
爪部４２３に対応する位置の雄円盤部４２２に通孔４２５が形成されているが、これは成型時の都合によるものである。
すなわち、爪部４２３がアンダーカットになり、型開き時に引っ掛かる。
そのため分割金型を使わなければならないが、その場合、この分割金型を通す空部の役割を果たす。
【００４３】
雄円盤部４２２の外側には、パレットに形成される受け口部１３に嵌合し、パレットとスリーブとを固定するための弾発突起４２４が形成される。
弾発突起４２４は三角柱状であり、長辺の第１テーパ面Ｘと、短辺の第２テーパ面Ｙとを有している。
弾発突起４２４がこれらのテーパ面を有することで、スリーブとパレットとの固定及び固定の解除が容易になる。
弾発突起４２４の周囲にはコの字状の切り欠きＫが形成されており、弾発突起４２４はこの切り欠きにより弾圧的に起伏運動を行うことができる。
すなわち、弾発突起４２４に力が加わると、弾発突起４２４は内方に移動し、弾発突起４２４に加わっていた力が除荷されると、弾発突起４２４は元の状態に戻る。
【００４４】
なお、図３に示す雄部材４２には、コの字状の切り欠きの端部が内側へ更に延長された形状の切り欠きが形成されており、弾発突起４２４の弾性力がより緩慢になっている。
このように切り欠きの形状を変えることで、弾発突起４２４の弾性度合いを調節することができる。
【００４５】
次に、スリーブをパレットに固定させる手順を述べる。
図４は、固定具を備えたスリーブがパレットに固定される過程を断面で示す説明図である。
【００４６】
先ず、スリーブに固定具を取り付けるために、リーブ２の貫通孔Ｈに雌部材４１を嵌挿する。
次に、爪部４２３がスリット溝４１３に掛止されるように両者の位置を対応させて雄部材４２を雌部材４１に対して嵌め込む。
こうすることで、雌部材４１と雄部材４２とよりなる固定具４がスリーブ２を挟み込むように取り付けられる。
【００４７】
このように、スリーブ２を間に介して雌部材４１と雄部材４２とがスリット溝４１３及び爪部４２３により相互に掛止される。
すなわち、固定具４に対して、貫通孔Ｈから引き抜く方向の力が加わったとしても、雌部材４１と雄部材４２とは一体化しており、且つ雌円盤部４１２及び雄円盤部４２２は貫通孔Ｈよりも大きいため、固定具４は貫通孔Ｈから決して抜け落ちることがない。
【００４８】
次に、図４（ａ）に示す状態から固定具４が取り付けられているスリーブ２を下降させて行くと、図４（ｂ）に示すように、弾発突起４２４の第１テーパ面Ｘはパレット１の側壁１４の端部に当接する。
この状態からスリーブ２をさらに下降させると、図４（ｃ）に示すように、弾発突起４２４は起伏可能なので側壁１４によって雄部材４２の内方に押し込まれる。
このとき、第１テーパ面Ｘは側壁１４を自然に乗り上がるため、弾発突起４２４は内方に押し込まれる。
【００４９】
さらにスリーブ２を下降させて、弾発突起４２４が受け口部１３の位置にくると、図３（ｄ）に示すように、内方に押し込まれていた弾発突起４２４が、雄部材４２からその弾性力により外方に飛び出し、受け口部１３に嵌り込む。
このようにパレット１は、簡単にスリーブ２の溝１２に挿入されて固定される。
【００５０】
図５はスリーブとパレットとの固定が解除される過程を正面視で示した説明図である。
固定を解除する際は、先ず、雄部材４２を回転させて（図では左回り）、弾発突起４２４の第２テーパ面Ｙを受け口部１３の縁に当接させる[図５（ａ）→図５（ｂ）]
【００５１】
そして、さらに雄部材４２を回転させると、図５（ｃ）に示すように、弾発突起４２４は側壁１４（詳しくは受け口部１３の縁）によって内方に押し込まれ、弾発突起４２４は受け口部１３から外れる。
このとき、第２テーパ面Ｙは側壁１４の上を自然に乗り上がるので、弾発突起４２４は、内方に押し込まれる。
雄部材４２の回転に大きな力を用いずに弾発突起４２４を受け口部１３から外すことができる。
【００５２】
更に、雄部材４２を回転させると、弾発突起４２４が完全に受け口部１３から外れる。
これにより、スリーブと側壁１４との間に、引っ掛かりが完全に無くなり解除状態となる。
【００５３】
このように、本実施形態に係る組み立て式コンテナにおいては、固定具４を備えたスリーブをパレットの溝に上方から挿入する操作だけで簡単にパレットとスリーブとが固定されるので、組み立て式コンテナを効率的に組み付けることができる。
また、パレットとスリーブとの固定を解除するときも、雄部材４２を一定角度回転させるという単純な操作で、弾圧突起を受け口部からスムースに外すことができ、両者の固定を簡単に解除することができる。
組み立て式コンテナの組み付け操作は、弾性突起４２４を解除した状態でスリーブをパレットの溝に挿入し、その後、雄部材４２を回転させ弾発突起４２４を受け口部１３に嵌め込む手順（図５（ｄ）→図５（ｃ）→図５（ｂ）→図５（ａ））を採用することも当然可能である。
また、第１テーパ面Ｘの傾斜角度を変更することで、スリーブを溝に挿入する際の挿入し易さを調節することができ、第２テーパ面Ｙの傾斜角度を変更することでは、弾発突起を受け口部から外す際の外し易さを調節することができる。
【００５４】
以上、本発明を説明してきたが、本発明は実施の形態に限定されることなく種々の変形例が可能である
例えば、形成されるスリット溝及び爪部が形成される位置、数等はこれに限定されるものではなく、本実施形態に係る組み立て式コンテナの設計内容によって適宜変更することが可能である。
また、雄部材を回転し易くするために、雄円盤部に摘み片を設けることもできる。
【図面の簡単な説明】
【００５５】
【図１】図１は、第一の実施形態に係る組み立て式コンテナを概略的に示す正面図である。
【図２】図２は、固定具を構成する雌部材及び雄部材を示す斜視図である。
【図３】図３は、雄部材の変形例を示す斜視図である。
【図４】図４は、固定具を備えたスリーブがパレットに固定される過程を断面で示す説明図である。
【図５】図５は、スリーブとパレットとの固定が解除される過程を正面視で示す説明図である。
【図６】図６は、従来のパレットとスリーブとを固定する固定機構を模式的に示す説明図である。
【符号の説明】
【００５６】
１…パレット
１１…脚部
１２…溝
１３…受け口部
１４…側壁
１００…棒爪
１０１…つまみ部
２…スリーブ
２００…スリーブ
２０１…受け口
３…蓋部
３００…パレット
３０１…移動路
４…固定具
４１…雌部材
４１１…雌円筒部
４１２…雌円盤部
４１３…スリット溝
４１４…供回り防止片
４１５…連結部
４２…雄部材
４２１…雄円筒部
４２２…雄円盤部
４２３…爪部
４２４…弾発突起
４２５…通孔
Ａ…組み立て式コンテナ
Ｋ…切り欠き
Ｈ…貫通孔
Ｓ…空間
Ｘ…第１テーパ面
Ｙ…第２テーパ面
【図１】
2008174258.tif 000003
【図２】
2008174258.tif 000004
【図３】
2008174258.tif 000005
【図４】
2008174258.tif 000006
【図５】
2008174258.tif 000007
【図６】
2008174258.tif 000008